(57)【要約】【課題】振動モータによる振動を腕や卓上などの他の物体に伝えやすくする。【解決手段】腕時計ケース内に振動モータ１４を備えた振動機能付き電子腕時計において、振動モータ１４の振動方向を腕時計ケースの表裏面方向に向けた状態で、振動モータ１４を腕時計ケース内に配置したので、振動モータ１４で振動を発生させると、その振動モータ１４が腕時計ケースの表裏面方向に振動し、且つ振動モータ１４の一部が腕時計ケースの裏蓋７に緩衝部材１６を介して接触していることにより、振動モータ１４で発生した振動を腕時計ケースの裏蓋７に確実に伝えることができる。これにより、腕時計ケースの裏面７をその厚み方向にほぼ垂直に振動させることができるので、振動モータ１４による振動を腕や卓上などの他の物体に伝えやすくすることができる。【選択図】        図２
2004301790.tif 000002
【特許請求の範囲】
【請求項１】
機器ケース内に振動モータを備えた振動機能付き電子機器において、
前記振動モータの振動方向を前記機器ケースの表裏面方向に向けた状態で、前記振動モータを前記機器ケース内に配置すると共に、前記振動モータの一部を前記機器ケースの裏面側の内面に接触させたことを特徴とする振動機能付き電子機器。
【請求項２】
前記振動モータが接触する前記機器ケースの前記裏面側の接触部分に対応する個所には、凹部が設けられていることを特徴とする請求項１に記載の振動機能付き電子機器。
【発明の詳細な説明】
【０００１】
【発明の属する技術分野】
この発明は、電子腕時計や携帯電話機などの振動機能付き電子機器に関する。
【０００２】
【従来の技術】
従来、電子腕時計においては、腕時計ケース内にモータを設け、このモータで回転体を偏心回転させて振動を発生させることにより、アラーム時刻などの予め設定された時刻を知らせるようしたものがある（例えば、特許文献１参照。）。
【０００３】
【特許文献１】
実開平６−１２９９０号公報
【０００４】
【発明が解決しようとする課題】
この特許文献１の電子腕時計は、腕時計ケース内に配置されたモータの出力軸にカム状の回転体を偏心させて取り付け、この回転体をモータによって腕時計ケースの厚み方向である表裏面方向に偏心回転させ、これにより振動を発生するように構成されている。
しかしながら、この電子腕時計では、回転体をモータによって腕時計ケース内で偏心回転させて振動を発生させるだけであるから、腕時計ケースを腕に装着して使用するときに、振動が腕に伝わりにくという問題がある。
【０００５】
この発明の課題は、振動モータによる振動を腕や卓上などの他の物体に伝えやすくすることである。
【０００６】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図４に示すように、機器ケース（腕時計ケース１）内に振動モータ（１４）を備えた振動機能付き電子機器において、前記振動モータの振動方向を前記機器ケースの表裏面方向に向けた状態で、前記振動モータを前記機器ケース内に配置すると共に、前記振動モータの一部を前記機器ケースの裏面側（裏蓋７）の内面に接触させたことを特徴とする振動機能付き電子機器である。
【０００７】
この発明によれば、振動モータで振動を発生させると、振動モータが機器ケースの表裏面方向に向けて振動すると共に、振動モータの一部が機器ケースの裏面側の内面に接触していることにより、振動モータで発生した振動を機器ケースの裏面に確実に伝えることができ、これにより機器ケースの裏面側をその表裏面方向である厚み方向にほぼ垂直に振動させることができるので、先行文献のものよりも、振動モータによる振動を腕や卓上などの他の物体に伝えやすくすることができる。
【０００８】
請求項２に記載の発明は、図３および図４に示すように、前記振動モータ（１４）が接触する前記機器ケース（腕時計ケース１）の前記裏面側（裏蓋７）の接触部分に対応する個所に、凹部（２０、２１）が設けられていることを特徴とする請求項１に記載の振動機能付き電子機器である。
この発明によれば、振動モータが接触する機器ケースの裏面側の接触部分に対応する個所に凹部を設けたので、機器ケースの接触部分の肉厚を薄くすることができ、これにより振動モータの振動によって機器ケースの裏面側をその厚み方向に振動させやすくすることができ、このため、より一層、振動モータによる振動を腕や卓上などの他の物体に伝えやすくすることができるほか、振動モータが接触する機器ケースの接触部分の面積を小さくすることにより、機器ケースの強度を損なわないようにすることができる。
【０００９】
この場合、例えば機器ケースの裏面側の内面に振動モータが接触する凹部を設けると、その凹部の深さ分だけ、機器ケース全体の厚さを薄くすることができ、これにより機器ケースの薄型化を図ることができる。また、機器ケースの裏面側の外面に、振動モータが接触する接触部分に対応する凹部を設けると、上記と同様、機器ケースの強度を損なわずに、機器ケースの裏面側をその厚み方向に振動させやすくすることができるほか、特に振動モータが接触する機器ケースの裏面側の凹部を小さく形成することにより、機器ケースの裏面側の外面に凹部を設けても、この凹部が外部からの衝撃を受けにくくすることができ、このため耐衝撃性の高いものを得ることができる。
【００１０】
【発明の実施の形態】
［第１実施形態］
以下、図１および図２を参照して、この発明の振動機能付き電子機器を電子腕時計に適用した第１実施形態について説明する。
図１はこの発明の電子腕時計の断面図、図２はその要部を拡大した断面図である。この電子腕時計は、腕時計ケース１を備えている。この腕時計ケース１の外周面には、図１に示すように、合成樹脂製のベゼル２および装飾ベゼル３が装着されており、この腕時計ケース１の上部には、時計ガラス４がパッキン５を介して取り付けられている。また、この腕時計ケース１の内部には、時計モジュール６が配置されており、この腕時計ケース１の下部には、裏蓋７が防水リング８を介して取り付けられている。
【００１１】
時計モジュール６は、図１に示すように、アナログ機能とデジタル機能とのうち、少なくとも一方、この実施形態ではデジタル機能を備えた構造になっている。すなわち、この時計モジュール６は、上部ハウジング１０と下部ハウジング１１とを備え、これら上部ハウジング１０と下部ハウジング１１との間に回路基板１２が配置され、上部ハウジング１０内の上部に時刻などの情報を表示する表示パネル１３が配置されていると共に、上部ハウジング１０、回路基板１２、および下部ハウジング１１に亘ってコイン型の振動モータ１４が縦向き状態で配置された構成になっている。
【００１２】
この場合、回路基板１２は、時計機能に必要な各種の電子部品（図示せず）が搭載され、表示パネル１３および振動モータ１４の駆動を制御するように構成されている。また、表示パネル１３は、液晶表示素子やＥＬ素子（エレクトロルミネッセンス素子）などの平面型の表示素子からなり、上部ハウジング１０内の上部に配置され、その両端部がインターコネクタ１５によって回路基板１２に電気的に接続された状態で支持され、この状態で電気光学的に時刻などの情報を表示するように構成されている。
【００１３】
振動モータ１４は、円盤状の小型モータとカム状の回転体とを備え、この小型モータで回転体を偏心回転させることにより振動を発生させるものであり、小型モータおよび回転体が収納ケース内に収納された構成になっている。すなわち、この振動モータ１４は、その全体がほぼコイン状（例えばこの実施形態では外径が８ｍｍ程度の小円板状）に形成され、図２に示すように、収納ケースの外周面全体がゴムシートなどの緩衝部材１６で包まれた構成になっている。
【００１４】
また、この振動モータ１４は、図２に示すように、その振動方向が腕時計ケース１の表裏面方向（図２では上下方向）である腕時計ケース１の厚み方向に沿った縦向き状態で、上部ハウジング１０内から回路基板１２を経て下部ハウジング１１の下面に亘って配置されている。この場合、振動モータ１４は、その下端部が下部ハウジング１１の下面から突出し、この突出した部分が緩衝部材１６を介して裏蓋７の内面（図２では上面）に接触するように構成されている。また、この振動モータ１４は、接続部材（図示せず）によって回路基板１２と電気的に接続され、この状態でアラーム時刻などの予め設定された時刻に駆動されて振動を発生するように構成されている。
【００１５】
このような電子腕時計では、腕に装着して携帯する際、通常は時計ガラス２を通して表示パネル１３に表示された時刻などの情報を見ることができる。また、この状態でアラーム時刻などの予め設定された時刻になると、振動モータ１４が駆動されて振動を発生するので、この振動によってアラーム時刻などの予め設定された時刻を知ることができる。このときには、振動モータ１４がその振動方向を腕時計ケース１の表裏面方向である厚み方向に向けて腕時計ケース１内に配置されているので、振動モータ１４が腕時計ケース１の厚み方向に振動する。
【００１６】
特に、このときには、振動モータ１４の下端部が腕時計ケース１の裏面側に設けられた裏蓋７に緩衝部材１６を介して接触しているので、振動モータ１４の振動を確実に裏蓋７に伝えることができると共に、この裏蓋７をその表裏面方向である厚み方向にほぼ垂直に振動させることができる。このため、振動モータ１４による振動を腕に確実に伝えることができると共に、体感振動を高めることができ、これにより確実にアラーム時刻などの予め設定された時刻を知らせることができる。
【００１７】
［第２実施形態］
次に、図３を参照して、この発明の振動機能付き電子機器を電子腕時計に適用した第２実施形態について説明する。なお、図１および図２に示された第１実施形態と同一部分には同一符号を付して説明する。
この電子腕時計は、裏蓋７の内面に振動モータ１４の下端部が緩衝部材１６を介して接触する凹部２０を設けた構造で、これ以外は第１実施形態と同じ構造になっている。すなわち、この凹部２０は、振動モータ１４の幅とほぼ同じ幅で、その深さが裏蓋７の厚さのほぼ半分程度に形成され、これにより振動モータ１４の下端部が緩衝部材１６を介して挿入して接触するように構成されている。
【００１８】
このような電子腕時計によれば、裏蓋７の内面に振動モータ１４の下端部が緩衝部材１６を介して接触する凹部２０を設けたので、この凹部２０によって振動モータ１４が接触する接触部分の裏蓋７の肉厚が薄くなり、これにより振動モータ１４の振動によって裏蓋７をその表裏面方向（図３では上下方向）である厚み方向に振動しやすくすることができ、このため第１実施形態のものよりも、より一層、体感振動を高めることができる。
【００１９】
この場合、振動モータ１４が接触する裏蓋７の凹部２０を最小限に小さく形成することにより、裏蓋７の強度を損なうことなく、十分な強度を確保することができ、これにより高気圧防水用の腕時計として用いることができる。また、裏蓋７の内面に凹部２０を設けたので、この凹部２０の深さ分だけ、時計モジュール４を裏蓋７に接近させることができ、これにより腕時計ケース１全体の厚さを薄くすることができ、腕時計全体の薄型化を図ることができる。
【００２０】
［第３実施形態］
次に、図４を参照して、この発明の振動機能付き電子機器を電子腕時計に適用した第３実施形態について説明する。この場合にも、図１および図２に示された第１実施形態と同一部分には同一符号を付して説明する。
この電子腕時計は、振動モータ１４の下端部が緩衝部材１６を介して裏蓋７に接触する接触部分に対応する個所における裏蓋７の外面に凹部２１を設けた構造で、これ以外は第１実施形態と同じ構造になっている。すなわち、この凹部２１は、第２実施形態と同様、振動モータ１４の幅とほぼ同じ幅で、その深さが裏蓋７の厚さのほぼ半分程度に形成されている。
【００２１】
このような電子腕時計によれば、振動モータ１４の下端部が緩衝部材１６を介して接触する裏蓋７の外面に凹部２１を設けたので、この凹部２１によって振動モータ１４が接触する接触部分の裏蓋７の肉厚が薄くなり、これにより振動モータ１４の振動によって裏蓋７をその表裏面方向である厚み方向に振動しやすくすることができ、このため第１実施形態のものよりも、より一層、体感振動を高めることができる。この場合、振動モータ１４が接触する接触部分に対応する裏蓋７の凹部２１を最小限に小さく形成することにより、裏蓋７の強度を損なうことなく、十分な強度を確保することができると共に、外部からの衝撃を受けにくくすることができ、これにより耐衝撃用、またはアウトドア用の腕時計として良好に用いることができる。
【００２２】
なお、上記第１〜第３実施形態では、表示パネル１３で時刻などの情報を表示するデジタル式の電子腕時計に適用した場合について述べたが、これに限らず、例えば文字板の上方を指針が運針するアナログ式の電子腕時計にも適用することができ、またデジタル機能とアナログ機能の両方を備えたコンビネーションタイプの電子腕時計にも適用することができる。
【００２３】
また、上記第１〜第３実施形態およびその変形例では、電子腕時計に適用した場合について述べたが、これに限らず、例えば携帯電話機にも適用することができる。この場合には、アラーム時刻に振動モータ１４を駆動するほか、電話の着信時にも振動モータ１４を駆動させて振動させるように構成すれば良い。このような携帯電話機では、衣服のポケットに収納して携帯したときに、振動モータ１４で振動を発生させると、その振動を衣類を介して人体に伝えることができ、また卓上に配置したときには、卓上に振動を伝えることができ、これにより確実にアラーム時刻や電話の着信を知らせることができる。
【００２４】
【発明の効果】
以上説明したように、この発明によれば、機器ケース内に振動モータを備えた振動機能付き電子機器において、振動モータの振動方向を機器ケースの表裏面向に向けた状態で、振動モータを機器ケース内に配置したので、振動モータで振動を発生させると、振動モータが機器ケースの表裏面方向に振動することになり、しかも振動モータの一部が機器ケースの裏面側の内面に接触しているので、振動モータで発生した振動を機器ケースの裏面に確実に伝えることができ、これにより機器ケースの裏面側をその表裏面方向である厚み方向にほぼ垂直に振動させることができるので、先行文献のものよりも、振動モータによる振動を腕や卓上などの他の物体に伝えやすくすることができる。
【００２５】
この場合、振動モータが接触する機器ケースの裏面側の接触部分に対応する個所に凹部を設けることにより、機器ケースの接触部分の肉厚を薄くすることができ、これにより振動モータの振動によって機器ケースの裏面側をその表裏面方向に振動させやすくすることができる。このため、より一層、振動モータによる振動を腕や卓上などの他の物体に伝えやすくすることができるほか、振動モータが接触する機器ケースの接触部分の面積を小さくすることにより、機器ケースの強度を損なわないようにすることができる。
【００２６】
特に、機器ケースの裏面側の内面に振動モータが接触する凹部を設けると、その凹部の深さ分だけ、機器ケース全体の厚さを薄くすることができ、これにより機器ケースの薄型化を図ることができる。また、機器ケースの裏面側の外面に、振動モータが接触する接触部分に対応する凹部を設けると、上記と同様、機器ケースの強度を損なわずに、機器ケースの裏面側をその表裏面方向に振動させやすくすることができるほか、機器ケースの裏面側の凹部を小さく形成することにより、機器ケースの裏面側の外面に凹部を設けても、この凹部が外部からの衝撃を受けにくくすることができ、このため耐衝撃性の高いものを得ることができる。
【図面の簡単な説明】
【図１】この発明を電子腕時計に適用した第１実施形態を示した断面図。
【図２】図１の要部を拡大した断面図。
【図３】この発明を電子腕時計に適用した第２実施形態において要部を拡大した断面図。
【図４】この発明を電子腕時計に適用した第３実施形態において要部を拡大した断面図。
【符号の説明】
１  腕時計ケース
４  時計ガラス
６  時計モジュール
７  裏蓋
１０  上部ハウジング
１１  下部ハウジング
１２  回路基板
１３  表示パネル
１４  振動モータ
１６  緩衝部材
２０、２１  凹部
【図１】
2004301790.tif 000003
【図２】
2004301790.tif 000004
【図３】
2004301790.tif 000005
【図４】
2004301790.tif 000006